(57)【特許請求の範囲】
【請求項１】
自動車の車内に設けられた壁面に固定される基部と、
携帯電話や携帯情報端末である被挟持物を挟持し保持するために前記基部に対して摺動自在に設置された一対の摺動部材と、
前記一対の摺動部材を互いに接近する方向に付勢する一対の付勢部材と、
前記一対の摺動部材の各先端部に回転軸によって回転可能に設けられると共に、前記回転軸が前記各摺動部材の摺動方向に対し略垂直に設けられている一対のローラーとを有し、
前記一の摺動部材を被挟持物の一端を押し付けることによって摺動させた際に、被挟持物の他端が前記他の摺動部材の先端に設けられている前記一のローラーの表面と当接し、被挟持物の他端の押圧力によって前記一のローラーが回転すると同時に前記一のローラーに加えられた押圧力によって前記他の摺動部材が前記一の摺動部材と離れる方向へ摺動し、被挟持物を挟持することができる位置まで前記他の摺動部材が摺動することを特徴とする保持具。
【発明の詳細な説明】
【０００１】
【発明の属する技術分野】
本発明は、携帯電話などの電子機器を例えば壁面などに取り付けるための保持具に関する。
【０００２】
【従来の技術】
自動車用などの壁面に携帯電話などの電子機器を着脱自在に保持する保持具が用いられている。
【０００３】
従来の保持具の構造の縦断面図を図９に示す。
このような保持具は、図９に示すように、基部７１と、基部７１に対して摺動自在に設置された摺動部材７３と、摺動部材７３を当該摺動部材７３の摺動方向に付勢する付勢部材（ばね）７５とから構成されている。
【０００４】
基部７１および摺動部材７３には、被保持物の両側面を挟持する挟持部７２、７４が設けられている。
【０００５】
また、付勢部材７５は、挟持部７２、７４が互いに接近する方向に摺動部材７３を付勢するよう構成されている。
【０００６】
そして、携帯電話などの被挟持物が取りつけられた際に、付勢部材７５の付勢力を伴う挟持部７２、７４の挟持により、被挟持物を保持し得るようになっている。
【０００７】
【発明が解決しようとする課題】
しかしながら、前述した保持具７は、被挟持物を取り付ける際に、挟持部７２、７４の先端部と被挟持物とが接触し、挟持部７２、７４の先端部と被挟持物の表面とが擦れ合い、被挟持物の表面が削れたり、被挟持物に塗布された塗料などが剥れたりするおそれがあった。
【０００８】
また、前述した構造では、両挟持部７２、７４の間隔を被挟持物の幅より大きく広げてからでないと被挟持物を挟持することができなかったため、被挟持物の着脱に手間がかかっていた。
【０００９】
本発明は、以上の点に鑑みなされたものであり、簡易な構成で被挟持物を容易に着脱することができ、挟持部の先端部と被挟持物との接触により、被挟持物の表面を削り取るおそれのない保持具を提供することを目的とする。
【００１０】
【課題を解決するための手段】
このような目的は、以下の（１）の本発明により達成される。
【００１１】
（１）  自動車の車内に設けられた壁面に固定される基部と、
携帯電話や携帯情報端末である被挟持物を挟持し保持するために前記基部に対して摺動自在に設置された一対の摺動部材と、
前記一対の摺動部材を互いに接近する方向に付勢する一対の付勢部材と、
前記一対の摺動部材の各先端部に回転軸によって回転可能に設けられると共に、前記回転軸が前記各摺動部材の摺動方向に対し略垂直に設けられている一対のローラーとを有し、
前記一の摺動部材を被挟持物の一端を押し付けることによって摺動させた際に、被挟持物の他端が前記他の摺動部材の先端に設けられている前記一のローラーの表面と当接し、被挟持物の他端の押圧力によって前記一のローラーが回転すると同時に前記一のローラーに加えられた押圧力によって前記他の摺動部材が前記一の摺動部材と離れる方向へ摺動し、被挟持物を挟持することができる位置まで前記他の摺動部材が摺動することを特徴とする保持具。
【００２０】
本発明の他の目的、作用および効果は、図面を参照して行う以下の実施形態の説明から、より明らかとなるであろう。
【００２１】
【発明の実施の形態】
以下、本発明に係る保持具について添付図面を参照して説明する。
【００２２】
図１は、本発明の保持具に携帯電話を取り付けた状態を示す斜視図である。図２は、本発明の保持具の平面図である。図３は、本発明の保持具の構造を示す一部切欠き側面図である。図４は、本発明の保持具の両挟持部が互いに離間する方向へと伸張した状態を示す縦断面図である。図５は、本発明の保持具の基部の平面図である。図６は、本発明の保持具の摺動部材の係合部の図２中Ａ−Ａ′線断面図である。図７は、本発明の保持部の基部の図２中Ａ−Ａ′線断面図である。図８は、本発明の保持具に被挟持物を取り付ける際の手順を示す説明図である。
【００２３】
本発明の保持具１は、図１に示すように、携帯電話（ＰＨＳを含む）、ＰＤＡに代表される携帯情報端末などの被挟持物６を例えば自動車の車内に設けられた壁面５に取り付ける器具である。
【００２４】
保持具１は、図１ないし図３に示すように、基部２と、基部２に対して摺動自在に設置された摺動部材３、３と、摺動部材３、３を当該摺動部材３、３の摺動方向に付勢する付勢部材（ばね）４とを有している。これらの各部材は、樹脂、木材、金属、陶磁器などで構成されている。
【００２５】
以下、各部の構成について説明する。
基部２は、図５に示すように、ほぼ小判型をなしている。
基部２の表面（図３中上側の面）の長手方向両端部（図３中左右両端部）には、付勢部材４の端部を固定する固定部２１が設けられている。また、基部２の表面の長手方向両側部（図５参照）には、壁部２２、２２が設けられている。両壁部２２、２２の間は、摺動部材３の係合部３１と係合する溝部２４となっている。
【００２６】
壁部２２、２２の図７中上側の端部には、図７に示すように、壁部２２の上端部から該壁部２２に対してほぼ垂直に延出する係止部２３、２３が設けられている。係止部２３、２３は、係合部３１の両側部に位置する凹部３３、３３と係合し、溝部２４からの係合部３１の図３および図７中上方への抜けを防止する。
【００２７】
また、これら両壁部２２、２２の長手方向ほぼ中央には、規制部２５が設けられている。規制部２５は、その図４および図５中左右側面が前記両摺動部材３、３の先端部に当接し、当該両摺動部材３、３の係合部３１、３１の先端方向（基部２の内側方向）への移動を規制する。
【００２８】
また、基部２は、その裏面（図３中下側の面）に両面粘着テープ３７を貼着し得るよう構成されており、両面粘着テープ３７の一方の面を基部２側に、他方の面を自動車などの壁面５に貼着することで、壁面５へと取り付けられる。なお、上述した構成に限らず、基部２と壁面５とをネジ止めすることで、当該保持具１を壁面５へと取り付けることも可能である。
【００２９】
摺動部材３、３は、基部２の図中左右両側に設けられている。両摺動部材３、３は、図３に示すように、係合部３１と、該係合部３１の端部から該係合部３１に対してほぼ垂直に設けられた挟持部３４１、３４２とを有している。また、これら両摺動部材３、３は、各々が同一の形状をなしている。また、両摺動部材３、３は、付勢部材４、４により、互いに接近する方向に付勢されている。
【００３０】
係合部３１は、図６に示すように、下面が開放された中空の板状体であり、内部に付勢部材４を収容する収容部３２を有している。また、この係合部３１の上側の両側部には、基部２の係止部２３と係合する凹部３３、３３が設けられている。凹部３３、３３は、基部２の壁部２２の上端に設けられた係止部２３と係合し、係合部３１の両側部および上方への移動を規制する機能を有している。
【００３１】
挟持部３４１、３４２は、図３および図４に示すように、その基端部が係合部３１の端部と一体的に形成されている。また、挟持部３４１、３４２の先端部には、案内部３５が設けられている。
【００３２】
案内部３５は、軸３５１と、該軸３５１に取り付けられたローラー３５２とを有している。
【００３３】
軸３５１は、図２に示すように、その長手方向が摺動部材３の摺動方向に対してほぼ垂直となるように設けられている。
【００３４】
ローラー３５２は、全体的に丸みを帯びた円柱状に形成されており、その外周面が挟持部３４１、３４２の図３中上面から、左右側面にかけて露出するように取り付けられている。このローラー３５２は、挟持部３４１、３４２に対して被挟持物６を着脱する際に、被挟持物６の側面を当該挟持部３４１、３４２の先端側から基端側へと案内し、被挟持物６の移動をスムースに行わせる機能を有している。このローラー３５２の機能については後に詳述する。
【００３５】
また、各挟持部３４１、３４２の対向面には、それぞれ、被挟持物６の両側部に当接し、挟持部３４１、３４２と被挟持物６との間の緩衝材としての機能を有する当接部材３６、３６が設けられている。当接部材３６を構成する材料としては、例えば、発泡ウレタンシートなどの柔軟な材料が好適に用いられる。
【００３６】
以下、本発明の保持具１に被挟持物６を着脱する際の手順について説明する。[１]  図８に示すように、被挟持物６の図中左側部を摺動部材３の挟持部３４１に押し付け、図中矢印Ａで示す方向に摺動部材３を摺動させる。
【００３７】
[２]  被挟持物６の図中左端部を中心に、図８中矢印Ｂで示す方向に被挟持物６を回転させる。このとき、被挟持物６の右側の端部は、案内部３５の案内により、スムースに挟持部３４２の当接部材３６の位置へと案内される。
【００３８】
[３]  被挟持物６を図８中矢印Ａと逆の方向に移動させ、両挟持部３４１、３４２を被挟持物６の両側部に当接させる。このとき、被挟持物６は、付勢部材４の付勢力による両挟持部３４１、３４２の挟持により保持される。また、このとき、挟持部３４１、３４２に加わった力が両摺動部材３に分散され、両摺動部材３を付勢する付勢部材４の長さは、ほぼ等しい長さとなる。そして、基部２に対する摺動部材３の摺動距離がほぼ等しい大きさとなる。
【００３９】
なお、この説明では、被挟持物６の左側部を挟持部３４１に押し付ける場合を例に説明しているが、被挟持物６の右側部を挟持部３４２に押し付ける場合でも、この手順と同様の手順で被挟持物６を保持具１に取り付けることができる。
また、被挟持物６を保持具１から取り外す場合には、前記[１]〜[３]の手順と逆の手順により、被挟持物６の右側部を図８中矢印Ｂと逆の方向に回転させ、被挟持物６を図中上側に取り出せば良い。
【００４０】
本実施形態においては、前述したように、同一形状の２つの摺動部材３、３を左右一対設ける構成となっていることから、被挟持物を取り付けた際に、当該保持具１が左右対称の形状となり、被挟持物を安定的に保持することができる。
【００４１】
また、基部２に対して摺動部材３を複数設けることにより、基部２に対して摺動部材を１つ設けた場合と比較し、摺動部材１つ当たりの基部２に対する摺動距離が小さくなることから、被挟持物を挟持した際に、摺動部材３がぐらつくことなく、被挟持物を安定的に保持することができる。また、基部２に対して摺動部材３を複数設けることにより、幅の大小に関わらず、被挟持物を安定的に保持することができるため、汎用性の高い保持具１が実現する。
【００４２】
また、本実施形態においては、ローラー３５２によって被挟持物６を案内する構成となっているが、この構成に限らず、滑りの良い樹脂で丸みを帯びた形状に形成した突起物を案内部として挟持部３４１、３４２の先端に設けることもできる。
【００４３】
また、本実施形態においては、基部２に対して一対の摺動部材３、３を設けているが、この構成に限らず、基部に対して１つの摺動部材を設け、基部に設けた挟持部と摺動部材に設けた挟持部とによって被挟持物を挟持する構成としても良い。また、基部に対して二対以上の摺動部材を設け、これらの摺動部材に設けられた挟持部によって被挟持物を挟持する構成としても良い。
【００４４】
また、本実施形態においては、挟持部３４１、３４２の両方に案内部３５を設けているが、挟持部３４１、３４２のいずれか一方に案内部３５を設けた場合にも、本発明の利点を享受することができる。
【００４５】
また、本実施形態においては、保持具１を携帯電話（ＰＨＳを含む）を好適に保持し得るよう構成しているが、これに限らず、保持具１によりＰＤＡなどに代表される携帯情報端末を好適に保持し得るよう構成することも可能である。
【００４６】
最後に、本発明は、上述した実施形態に限定されることはなく、特許請求の範囲に記載された範囲で種々の変更及び改良が可能であることは言うまでもない。
【００４７】
たとえば、本実施形態の保持具を自動車の他、電車、船舶、飛行機などの他の移動体の壁面に取り付けて使用することも無論可能である。
【００４８】
【発明の効果】
本願発明に係る保持具は、自動車の車内に設けられた壁面に固定される基部に対して携帯電話や携帯情報端末などの被挟持物を挟持し保持することができる。そして、被挟持物を基部に押し付ける動作によって、摺動部材の先端に回転可能に設けられているローラーが回転し、同時に、このローラーが設けられている摺動部材が摺動する作用があり、故に、被挟持物を保持具に保持させる際に、片手に持った被挟持物を保持具に対して押し付けるだけの動作によって保持させることができるという効果を有している。
【図面の簡単な説明】
【図１】本発明の保持具に携帯電話を取り付けた状態を示す斜視図である。
【図２】本発明の保持具の平面図である。
【図３】本発明の保持具の構造を示す一部切欠き側面図である。
【図４】本発明の保持具の両挟持部が互いに離間する方向へと伸張した状態を示す縦断面図である。
【図５】本発明の保持具の基部の平面図である。
【図６】本発明の保持具の摺動部材の係合部の図２中Ａ−Ａ′線断面図である。
【図７】本発明の保持部の基部の図２中Ａ−Ａ′線断面図である。
【図８】本発明の保持具に被挟持物を取り付ける際の手順を示す説明図である。
【図９】従来の保持具の構造を示す縦断面図である。
【符号の説明】
１      保持具（本発明）
２      基部
２１    固定部
２２    壁部
２３    係止部
２４    溝部
２５    規制部
３      摺動部材
３１    係合部
３２    収容部
３３    凹部
３４１、３４２  挟持部
３５    案内部
３５１  軸
３５２  ローラー
３６    当接部材
３７    両面粘着テープ
４      付勢部材
５      壁面
６      被挟持物
７      保持具（従来構造）
７１    基部
７２    挟持部
７３    摺動部材
７４    挟持部
７５    付勢部材
【図１】
0004108987.tif 000002
【図２】
0004108987.tif 000003
【図３】
0004108987.tif 000004
【図４】
0004108987.tif 000005
【図５】
0004108987.tif 000006
【図６】
0004108987.tif 000007
【図７】
0004108987.tif 000008
【図８】
0004108987.tif 000009
【図９】
0004108987.tif 000010